(57)【要約】【課題】  和紙を利用した風合いに優れた物品収納具であって、簡易な構成で、撥水性等の機能性と、風合い、美観等装飾性と、を兼ね備える物品収納具を提供する。【解決手段】  基板１１と、前記基板１１の上面に貼着された和紙２と、和紙２の上面に形成された複数の漆層３〜５と、からなる物品収納具１０であって、前記和紙２は、繊維２ａを含有しており、その繊維２ａによって表面に複数の凹部２ｂと凸部２ｃが形成されており、前記複数の凹部２ｂと凸部２ｃのうち少なくとも一部の凹部２ｂと凸部２ｃは、それぞれの上面に形成された複数の漆層のうち最上面の漆層が互いに異なることを特徴とする。【選択図】  図９
2006280721.tif 000002
【特許請求の範囲】
【請求項１】
基板と、前記基板の上面に貼着された和紙と、前記和紙の上面に形成された複数の漆層と、からなる物品収納具であって、
前記和紙は、繊維を含有しており、この繊維によって表面に複数の凹部と凸部が形成されており、
前記複数の凹部と凸部のうち少なくとも一部の凹部と凸部は、それぞれの上面に形成された複数の漆層のうち最上面の漆層が互いに異なることを特徴とする物品収納具。
【請求項２】
前記複数の漆層は、それぞれ異なる色彩であることを特徴とする請求項１に記載の物品収納具。
【請求項３】
前記基板は、複数積層された和紙であることを特徴とする請求項１又は請求項２に記載の物品収納具。
【請求項４】
前記基板は、合成樹脂であることを特徴とする請求項１又は請求項２に記載の物品収納具。
【請求項５】
繊維を含有しており当該繊維によって表面に凹部と凸部が形成された和紙に硬化性の樹脂を含浸して、当該和紙を積層する第一工程と、
前記和紙に含浸した硬化性の樹脂を乾燥する第二工程と、
前記和紙の表面に漆を含有する塗料を所定圧で塗布して第一漆層を形成する第三工程と、
前記第一漆層の上面に漆を含有する塗料を前記所定圧より小さい圧力で塗布して第二漆層を形成する第四工程と、を行うことを特徴とする物品収納具の製造方法。
【請求項６】
繊維を含有しており当該繊維によって表面に凹部と凸部が形成された和紙に硬化性の樹脂を含浸して、合成樹脂からなる基板の上面に貼着する第一工程と、
前記和紙に含浸した硬化性の樹脂を乾燥する第二工程と、
前記和紙の表面に漆を含有する塗料を所定圧で塗布して第一漆層を形成する第三工程と、
前記第一漆層の上面に漆を含有する塗料を前記所定圧より小さい圧力で塗布して第二漆層を形成する第四工程と、を行うことを特徴とする物品収納具の製造方法。
【請求項７】
前記第二工程後に、前記和紙の表面に柿渋を塗布する工程と、前記柿渋を乾燥させる工程と、を更に備えることを特徴とする請求項５又は請求項６に記載の物品収納具の製造方法。
【請求項８】
前記第三工程で塗布する塗料と第四工程で塗布する塗料とを異なる色彩とすることを特徴とする請求項５から請求項７のいずれかに記載の物品収納具の製造方法。
【発明の詳細な説明】
【技術分野】
【０００１】
本発明は、繊維を含有した和紙の表面に漆を塗布した物品収納具に関するものである。
【背景技術】
【０００２】
表面に漆を塗布した漆工芸は、見た目の美しさと耐久性を兼ね備え、古くから日本の伝統工芸として受け継がれてきた。前記漆工芸は、高い技術が必要とされており、職人の技法により支えられていた。例えば、漆工芸の一種である漆器は、木や合成樹脂からなる素地を成形する工程と、漆を塗布する工程と、その表面を仕上げする工程とによって製造されていた。
【０００３】
前記仕上げ工程は、特に漆工芸の美観性を左右するものであり、職人の技能が発揮される工程でもあった。仕上げ方法の一例として、漆層を複数形成して、複数積層した漆層を研磨し、その研磨する力加減を場所によって異ならせ表面に現す漆層を調整して、現れる漆層の違いによる風合いを作り出す方法があった。
【０００４】
また、前記伝統工芸に限らず、漆の装飾効果を備えた器物、皮革が提供されてきた。特許文献１には、縮み模様の和紙を器物の適所に貼着一体化して、漆で固める象谷塗りを特徴とする器物に関する技術が記載されている。この器物は、縮み模様の和紙を貼着一体化しているため、模様の現出方法に特徴を作り出すことができた。また、縮み模様の和紙を貼着一体化した後、漆を全体に塗るため、洗浄が繰り返されても水の浸入を防ぎ、耐剥がれ性を向上させて、長期間使用できる高い品質の器物を得ることができた。
【０００５】
さらに、特許文献２には、天然繊維を抄造してなる和紙シートを利用した類似皮革に関する技術が記載されている。この類似皮革は、天然繊維を抄造した和紙シートの裏面に、編み物、組み物、織物よりなる群より選択された補強材を有し、上面及び下面の両面から漆塗り加工を施してなることを特徴とする。この類似皮革は、前記構成により、強度及び撥水性が高く、並びに風合い及び質感に優れたものであった。
【特許文献１】特開２００２−１４４７９５号公報
【特許文献２】特開２００４−２０４３８３号公報
【発明の開示】
【発明が解決しようとする課題】
【０００６】
前記伝統工芸における仕上げ方法によれば、表面に現れる漆層が場所によって異なるため、光沢放ち方等の違いによって高い美観を得ることができたが、職人が一つ一つ手作業で行わなければならないため、時間と手間を要していた。
【０００７】
また、前記器物及び類似皮革は、その表面に漆加工が施されているため、漆の風合いを得ることができるが、いずれも表面全体に漆加工を万遍なく施しているため、前記伝統工芸のように現れる漆層の違いによる風合いを得ることが困難であった。
【０００８】
本発明は、前記種々の問題に鑑みてなされたものであり、和紙を利用した風合いに優れた物品収納具であって、簡易な構成で、撥水性等の機能性と、伝統工芸のような風合い、美観等の装飾性と、を兼ね備えた物品収納具を提供することを目的とする。
【課題を解決するための手段】
【０００９】
本発明は、前述の技術的課題を解決するために以下のように構成されている。本発明に係る物品収納具は、基板と、前記基板の上面に貼着された和紙と、前記和紙の上面に形成
された複数の漆層と、からなる物品収納具であって、前記和紙は、繊維を含有しており、その繊維によって表面に複数の凹部と凸部が形成されており、前記複数の凹部と凸部のうち少なくとも一部の凹部と凸部は、それぞれの上面に形成された複数の漆層のうち最上面の漆層が互いに異なることを特徴とする。
【００１０】
本発明は、前記基板の上面に繊維を含有した和紙を貼着しているため、物品収納具の表面に繊維による自然な風合いの凹部と凸部を形成することができる。また、和紙の上面には漆層が形成されているため、和紙の表面を保護することができ、撥水性及び耐久性を向上させることができる。
【００１１】
さらに、前記和紙の凹部上に形成された漆層と凸部上に形成された漆層は、最上面の漆層が異なるため、前述の伝統工芸による漆工芸のように発現する漆層の違いによる風合いを簡易な構成で作り出すことができる。加えて、漆層による見た目の違いと凹凸部による触感の違いとを合わせて和紙の表面に形成することができるため、その相乗効果により、多彩な装飾効果を発揮することが可能となる。
【００１２】
なお、本発明における物品収納具は、内部に物品を収納することができるものであれば良く、特に制限はないが、漆層による撥水性及び和紙による軽量性を生かすものとしては、持ち運び可能な鞄、ポーチ、ペンケース等が特に好適である。
【００１３】
また、本発明に係る物品収納具は、前記複数の漆層がそれぞれ異なる色彩であることを特徴とすることが望ましい。漆は、多種多様であり、その色彩も多く存在する。本発明に係る物品収納具は、前記凹部と凸部とで視認できる漆層が異なるため、漆層毎に色彩を異ならせることにより、多彩な装飾を物品収納具の表面に施し、更に高い美観を生じさせることが可能となる。
【００１４】
さらに、本発明に係る物品収納具は、前記基板が複数積層された和紙であることを特徴としてもよい。本発明に係る物品収納具における基板は、物品収納具の外形を形成する部分であり、一定の定形性と強度を備えたものであれば良く、その材質は特に制限されない。しかし、積層した和紙によって基板を形成することにより、物品収納具の重量を軽量にすることが可能となる。また、積層した和紙では強度が十分でない場合には、和紙に硬化性の樹脂を含浸させて積層することにより、和紙の強度を向上させることが可能となる。
【００１５】
また、本発明に係る物品収納具は、前記基板が合成樹脂からなることを特徴としてもよい。前述のように本発明に係る基板の材質は、特に制限されないが、合成樹脂は、軽量で耐久性を備え、かつ加工しやすい利点があり、本発明における基板として好適に用いることができる。
【００１６】
さらに、本発明は、繊維を含有しており当該繊維によって表面に凹部と凸部が形成された和紙に硬化性の樹脂を含浸して、当該和紙を積層する第一工程と、前記和紙に含浸した硬化性の樹脂を乾燥する第二工程と、前記和紙の上面に漆を含有する塗料を所定圧で塗布して第一漆層を形成する第三工程と、前記第一漆層の上面に漆を含有する塗料を前記所定圧より小さい圧力で塗布して第二漆層を形成する第四工程と、を行うことを特徴とする物品収納具の製造方法である。
【００１７】
前記製造方法によれば、表面に凹部と凸部が形成された和紙の上面に所定圧で第一漆層を塗布した後、この所定圧より小さい圧力で第二漆層を塗布するため、前記凸部の上面に形成される第二漆層の面積を第一漆層よりも少なくすることが可能となる。漆層を塗布する圧力を小さくすることで凹部まで漆がいかず、その結果第二漆層の面積が小さくなる。従って、物品収納具の表面に、第一漆層が現れる箇所と第二漆層が現れる箇所とを形成す
ることができ、前述の伝統工芸による漆工芸と同様に、発現する漆層の違いによる風合いを作り出すことができる。尚、前記所定圧とは、漆の塗装効果が発揮される所定圧であり、材質、天候等種々の条件によって適宜変更することが望ましい。
【００１８】
さらに、前記和紙は繊維を含有して、この繊維によって表面に凹凸部が形成されているため、繊維による自然な凹凸部を形成することができると共に、繊維が補強材の役割を果たし、強度の向上を図ることができる。さらに、前記和紙には、硬化性の樹脂を含浸しているため、更なる強度向上を図ることが可能となる。
【００１９】
また、本発明に係る物品収納具の製造方法は、繊維を含有しており当該繊維によって表面に凹部と凸部が形成された和紙に硬化性の樹脂を含浸して、合成樹脂からなる基板の上面に貼着する第一工程と、前記和紙に含浸した硬化性の樹脂を乾燥する第二工程と、前記和紙の表面に漆を含有する塗料を所定圧で塗布して第一漆層を形成する第三工程と、前記第一漆層の上面に漆を含有する塗料を前記所定圧より小さい圧力で塗布して第二漆層を形成する第四工程と、を行うことを特徴としてもよい。
【００２０】
本発明は、前記製造方法によっても、物品収納具の表面に、第一漆層が視認できる箇所と第二漆層が視認できる箇所とを形成することができ、前述の伝統工芸による漆工芸と同様に、発現する漆層の違いによる風合いを作り出すことができる。また、前記合成樹脂からなる基板を用いることにより、耐久性の向上及び軽量化を図ることができると共に、合成樹脂の加工の容易性より、製造効率を向上させることができる。
【００２１】
加えて、本発明に係る物品収納具の製造方法は、前記第二工程後に、前記和紙の表面に柿渋を塗布する工程と、前記柿渋を乾燥させる工程と、を更に備えることを特徴とすることが望ましい。
【００２２】
前記柿渋とは、天王柿、山柿等渋みの強い渋柿の絞り汁を自然発酵させて際の上澄み液であり、防水、防腐、防虫効果等の優れた効果を有するものである。また、繊維質に吸収させて乾燥させると、不溶性物質をつくり収斂性を発揮するため、前記和紙に塗布することにより、前記防水、防腐効果等だけでなく、和紙の強度を向上させる効果も得ることができる。さらに、独特な風合い及び発色を有するため、和紙の表面に塗布することにより、漆層の下地として装飾効果を発揮することが可能となる。
【発明の効果】
【００２３】
以上のように本発明に係る物品収納具及びその製造方法によれば、物品収納具を構成する和紙の表面に凹部と凸部を形成して、この凹部と凸部の上面に形成される漆層のうち最上面の漆層を互いに異ならせることができるため、伝統工芸による漆工芸のように発現する漆層の違いによる風合いを簡便に作り出すことができる。
【００２４】
また、前記和紙は、繊維を含有しており、この繊維によって表面に凹凸部が形成されているため、自然な風合いの凹凸部を形成することができると共に、繊維による強度向上を図ることができる。さらに、物品収納具の上面には、漆層が形成されているため、漆による高い装飾効果を得ると共に、撥水性を高め、耐久性に優れた物品収納具を提供することが可能となる。
【発明を実施するための最良の形態】
【００２５】
以下、図面に基づいて本発明の実施の形態を詳細に説明する。図１（ａ）は、本発明に係る物品収納具としての鞄１０の斜視図、図１（ｂ）は、図１（ａ）に示す鞄１０の一部断面拡大図である。図２は、鞄１０の平面図、図３は、鞄１０の側面図である。鞄１０は、和紙１を積層した基板１１と、基板１１の上面に貼着された和紙２と、この和紙２の上
面に形成された第一から第三漆層３〜５と、から構成されている。
【００２６】
前記基板１１は、比較的細かい繊維１ａが含有された和紙１が積層されており、これらの和紙１は互いに硬化性の樹脂によって接着されている。基板１１上に貼着された和紙２は、前記基板１１を構成する和紙１よりも、太い繊維２ａが含有されており、この繊維２ａによって表面に凹部２ｂと凸部２ｃが形成されている。
【００２７】
本実施の形態では、基板１１を構成する和紙１は、下地用として、薄手で繊維が細かいものとして、基板１１上に貼り付ける和紙２は、仕上げ用として厚手で繊維が荒いものとした。これにより、鞄１０の表面に和紙２に含有された繊維２ａによる自然な凹凸感と和紙１、２による風合いを作り出すことができる。
【００２８】
前記第一から第三漆層３〜５は、それぞれ異なる色彩の漆が塗布された漆層である。第一漆層３は、黒系の漆層であり、第二漆層４は、赤系の漆層であり、第三漆層５は、黄系の漆層である。
【００２９】
次いで、前記鞄１０の製造方法を詳細に説明する。まず、製造する鞄の形状に合わせた図４に示す木型２０を用意する。この木型２０の外周に和紙を積層して基板１１を形成するが、基板１１の形成後、木型２０と基板１１とを剥離できるように、木型２０の側面にシリコンスプレーを吹きかける（第一工程）。
【００３０】
前記シリコンスプレーを吹きかけた後に、木型２０の表面が見えない程度にストレッチラップを巻きつける（第二工程）。次いで、基板１１を構成する和紙１を適当な大きさに千切り、硬化性の樹脂としての酢酸ビニル系のボンドを和紙１に斑なく含浸させる（第三工程）。和紙１を千切る大きさは、木型２０に貼り付けやすい大きさであればよく、製造する物品収納具の形状に応じて適宜に変更することが望ましい。
【００３１】
第二工程でストレッチラップを巻きつけた木型２０の表面に、前記和紙１を空気が入らないように貼り付ける（第四工程）。前記第三工程と第四工程とを繰り返し行い、和紙１を４層程度積層して、基板１１を形成する（第五工程）。図５は、第五工程における鞄１０の断面図である。
【００３２】
次いで、基板１１上に、仕上げ用の和紙２を貼着する。前記和紙１と同様に、和紙２を適当な大きさに千切って、酢酸ビニル系のボンドを含浸させて基板１１上に貼着する（第六工程、図６参照）。
【００３３】
前記和紙２を基板１１上に貼着した後、基板１１を構成する和紙１と和紙２に含浸した酢酸ビニル系のボンドを乾燥させる（第七工程）。この乾燥は、自然乾燥であってもよいし、温室等で強制乾燥させてもよい。前記ボンドが完全に乾燥した後、和紙２の表面に柿渋を塗布する（第八工程）。柿渋を塗布することにより、和紙２の表面の毛羽立ちを押さえて、強度を向上させることができる。
【００３４】
前記柿渋を乾燥させた後、一体化した基板１１と和紙２を前記木型２０から抜き出して、前記ストレッチラップを剥がす（第九工程）。次いで、一体化した基板１１と和紙２の全面に樹脂を塗布して、乾燥させた後、樹脂を塗布した全面を研磨する（第十工程）。この第十工程において塗布する樹脂は下塗りであり、漆層の下地となる。
【００３５】
前記第十工程を３〜４回繰り返した後、第一から第三漆層３〜５を所定圧で塗布する（第十一工程）。第一漆層は、中塗りであり、所定圧で複数回漆を塗布する。第一漆層を塗布する所定圧は、和紙２の表面の凹部２ｂ、凸部２ｃを含む略全体に斑なく第一漆層３を
形成できる圧力である。第二漆層を塗布する所定圧は、前記第一漆層３を塗布する際より小さい圧力であり、和紙２の表面に形成された凹部２ｂのうち一部には第二漆層４を形成しないようにする。第三漆層５を塗布する所定圧は、前記第二漆層４を塗布した圧力よりも更に小さい圧力であり、第三漆層をする面積を小さくするように塗布する。図７から図９は、それぞれ第一から第三漆層３〜５を形成した鞄１０の断面図であり、図１０は、図９の拡大断面図である。
【００３６】
すなわち、繰り返し漆層を塗布する際に、徐々に塗布する圧力を小さくして行い、漆層を形成する部分を徐々に少なくする。このように、漆層を塗布することにより、和紙２の表面に形成された凹部２ｂと凸部２ｃにおいて、上面に形成される漆層の層数を異ならせることができる。これによって、鞄１０の表面に複数の漆層を現すことができ、簡便に伝統工芸による漆工芸のように発現する漆層の違いによる風合いを作り出すことができる。
【００３７】
なお、任意に塗布する圧力を調整して、表面に現す漆層の違いによって、所定の模様を形成することも可能である。そして、仕上げとして、必要な形状に合わせて、縁周りを切断したり、取っ手等の部品を取り付けて、鞄１０が完成する。
【００３８】
本実施の形態によれば、伝統工芸のように職人の技法によらなくても、伝統工芸と同様に、発現される漆層の違いによる風合いを作り出すことができ、高い美観を生じさせることができた。また、第一から第三漆層３〜５をそれぞれ異なる色彩の漆で塗布したため、鞄の表面には、黒、赤、及び黄色の３色の漆層が発現され、色彩による装飾効果を得ることもできた。
【００３９】
また、鞄１０の材質を和紙としたため、鞄１０を軽量化することができた。さらに、鞄１０の表面に繊維２ａを含有した和紙２を貼着しているため、繊維２ａによって形成された凹部と凸部により、見た目の風合いだけでなく、触感でも自然な風合いを作り出すことができる。加えて、表面に形成された第一〜第三の漆層３〜５によって、和紙の表面を保護するため、撥水性及び耐久性の高い鞄１０を得ることができた。
【００４０】
さらに、前記第十一工程の漆層の形成において漆を塗布する回数は、漆の種類、鞄の利用目的によって適宜に選択することが望ましい。漆を塗布する回数を多くすると、その分強度を向上させることができるが、その一方で重量が重くなり、鞄の軽量化が妨げられるためである。
【００４１】
なお、本実施の形態では、基材１１として積層した和紙１を用いたが、基材１１として合成樹脂を用いてもよい。基材１１を合成樹脂とすることにより、基材１１の製造工程の簡略化及び耐久性の向上を図ることが可能となる。
【図面の簡単な説明】
【００４２】
【図１】（ａ）は、鞄の斜視図であり、（ｂ）は、（ａ）の断面拡大図である。
【図２】鞄の平面図である。
【図３】鞄の側面図である。
【図４】木型の斜視図である。
【図５】第五工程における鞄の断面図である。
【図６】第六工程における鞄の断面図である。
【図７】第十一工程における鞄の断面図である（第一漆層塗布後）。
【図８】第十一工程における鞄の断面図である（第二漆層塗布後）。
【図９】第十一工程における鞄の断面図である（第三漆層塗布後）。
【図１０】図９の拡大断面図である。
【符号の説明】
【００４３】
１  和紙（下地用）
１ａ  繊維
２  和紙（仕上げ用）
２ａ  繊維
２ｂ  凹部
２ｃ  凸部
３  第一漆層
４  第二漆層
５  第三漆層
１０  鞄
１１  基板
２０  木型
【図１】
2006280721.tif 000003
【図２】
2006280721.tif 000004
【図３】
2006280721.tif 000005
【図４】
2006280721.tif 000006
【図５】
2006280721.tif 000007
【図６】
2006280721.tif 000008
【図７】
2006280721.tif 000009
【図８】
2006280721.tif 000010
【図９】
2006280721.tif 000011
【図１０】
2006280721.tif 000012